(57)【要約】【課題】ユーザーによってＧＵＩに対するニーズは、できるだけ映像を妨げないよう小さいサイズでシンプルなものであったり、文字が大きく見易いものであったり、純粋にデザインであったり、いろいろであるが、テレビジョン受信機のＧＵＩは購入時からユーザーのニーズに合わせて変更することができない。【解決手段】ビットマップ配布サイト１０１において、ユーザーが好みのＧＵＩイメージのビットマップデータを選択し、ネットワーク処理部１０３を通してビットマップデータをダウンロードし、ＣＰＵ１０４が書き換え可能な記憶装置１０５にデータを保存する。ＧＵＩが表示されるような操作を行った場合に、ＣＰＵ１０４が書き換え可能な記憶装置１０５からビットマップデータを読み出し、ＧＵＩ合成処理を行い、ＤＲＡＭ１０６に書き込み、ユーザーが選択したＧＵＩイメージを表示デバイス１０７に表示する。【選択図】図１
2006254034.tif 000002
【特許請求の範囲】
【請求項１】
テレビジョン受信機において、外部からビットマップデータをダウンロードする手段と、前記ダウンロード手段によってダウンロードしたビットマップデータを記憶する手段と、前記記憶手段によって記憶されたビットマップデータを読み出す手段と、前記ビットマップデータ読み出し手段によって読み出されたビットマップを用い、ＧＵＩを構成する手段を備えたことを特徴とするＧＵＩ制御装置。
【請求項２】
テレビジョン受信機において、外部からビットマップデータをダウンロードするステップと、前記ダウンロードステップによってダウンロードしたビットマップデータを記憶するステップと、前記記憶ステップにより記憶されたビットマップデータを読み出すステップと、前記ビットマップデータ読み出しステップにより読み出されたビットマップを用い、ＧＵＩを構成するステップを備えたことを特徴とするＧＵＩ制御装置。
【発明の詳細な説明】
【技術分野】
【０００１】
本発明は、ＧＵＩをユーザーの好みのイメージに変更できる機能を有するテレビジョン受信機のＧＵＩ制御装置に関するものである。
【背景技術】
【０００２】
従来、テレビジョン受信機では、機能項目の選択や調整のために、リモコン等の入力装置で選択可能なＧＵＩイメージをオンスクリーン表示していた（例えば、特許文献１参照）。
【特許文献１】特開平８−０７０４１０号公報
【発明の開示】
【発明が解決しようとする課題】
【０００３】
しかしながら、上記従来のテレビジョン受信機のＧＵＩイメージはデータを書き換える手段がなかったため、購入時から変更することができなかった。
【０００４】
ユーザーによってＧＵＩに対するニーズは、できるだけ映像を妨げないよう小さいサイズでシンプルなものであったり、文字が大きく見易いものであったり、純粋にデザインであったり、いろいろであるが、テレビジョン受信機のＧＵＩは購入時からユーザーのニーズに合わせて変更することができない。
【課題を解決するための手段】
【０００５】
ＧＵＩのイメージデータを差し替え可能な構造にしておき、外部からのデータダウンロード手段を備えることで、購入後にＧＵＩのイメージ差し替えを可能にする。
【発明の効果】
【０００６】
ＧＵＩの表示イメージデータを外部からダウンロードしてくることで、購入後にユーザーが好みのデザインや、ユーザーの使い方に合わせたＧＵＩに変更することができる。
【発明を実施するための最良の形態】
【０００７】
本発明の第１の発明は、テレビジョン受信機において、外部からビットマップデータをダウンロードする手段と、前記ダウンロード手段によってダウンロードしたビットマップデータを記憶する手段と、前記記憶手段によって記憶されたビットマップデータを読み出す手段と、前記ビットマップデータ読み出し手段によって読み出されたビットマップを用い、ＧＵＩを構成する手段を備えたことを特徴とし、ユーザーが好みのＧＵＩにいつでも変更が可能となる効果が得られる。
【０００８】
本発明の第２の発明は、テレビジョン受信機において、外部からビットマップデータをダウンロードするステップと、前記ダウンロードステップによってダウンロードしたビットマップデータを記憶するステップと、前記記憶ステップにより記憶されたビットマップデータを読み出すステップと、前記ビットマップデータ読み出しステップにより読み出されたビットマップを用い、ＧＵＩを構成するステップを備えたことを特徴とし、ユーザーが好みのＧＵＩにいつでも変更が可能となる作用を有する。
【０００９】
（実施の形態１）
図１は本発明の実施の形態１の構成図であって、１０１はビットマップデータ配布サイト、１０２はネットワーク、１０３はネットワーク通信処理部、１０４はＣＰＵ、１０５は書き換え可能な記憶装置、１０６はＤＲＡＭ、１０７は表示デバイスを表わす。
【００１０】
以上のように構成されたテレビジョン受信機において、以下その動作を説明する。ネットワーク通信処理部を有するテレビジョン受信機において、ビットマップ配布サイト１０１において、ユーザーが好みのＧＵＩイメージのビットマップデータを選択し、ネットワーク１０２からネットワーク処理部１０３を通してビットマップデータをダウンロードし、ＣＰＵ１０４が書き換え可能な記憶装置１０５にデータを保存する。ユーザーが何かテレビジョンにＧＵＩを表示されるような操作を行った場合に、ＣＰＵ１０４が書き換え可能な記憶装置１０５からビットマップデータを読み出し、ＧＵＩ合成処理を行い、ＤＲＡＭ１０６に書き込み、ユーザーが選択したＧＵＩイメージを表示デバイス１０７に表示する。
【００１１】
次に図１に示すＧＵＩ着せ替え装置についてさらに具体例をあげて詳細に説明する。図３はＧＵＩの具体的な表示例を示す図である。
【００１２】
例えば、テレビジョン受信機を購入時のＧＵＩが表示例３０１であったとする。ユーザーがＧＵＩを表示した時に、極力映像画面を隠したくないと考えた場合は表示例３０２のような表示例３０１よりも小さく表示されるＧＵＩをビットマップ配布サイト１０１からダウンロードすれば、表示例３０２のＧＵＩが表示デバイス１０７に表示され、ユーザーが大きなＧＵＩの方が見易く、使い易いと考えた場合は表示例３０３のような表示例３０１よりも大きく表示されるＧＵＩをビットマップ配布サイト１０１からダウンロードすれば表示例３０３のＧＵＩが表示デバイス１０７に表示される。
【００１３】
（実施の形態２）
図２は本発明の実施の形態２の構成図であって、２０１はビットマップデータ配布サイト、２０２はネットワーク、２０３は端末、２０４は端末側メモリーカード処理部、２０５はメモリーカード、２０６はテレビジョン受信機側メモリーカード処理部、２０７はＣＰＵ、２０８は書き換え可能な記憶装置、２０９はＤＲＡＭ、２１０は表示デバイスを表わす。
【００１４】
以上のように構成されたテレビジョン受信機において、以下その動作を説明する。ビットマップ配布サイト１０１からネットワーク２０２を通して、端末２０３にユーザーが選択したＧＵＩイメージのビットマップデータをダウンロードする。端末２０３からメモリーカード処理部２０４を通してメモリーカード２０５にダウンロードしてきたＧＵＩイメージのビットマップデータを書き込む。ビットマップ配布サイト１０１からダウンロードしてきたＧＵＩイメージのビットマップデータを書き込んだメモリーカード２０５からメモリーカード処理部２０６を通して、ＣＰＵ２０７が書き換え可能な記憶装置２０８にデータを保存する。ユーザーが何かテレビジョンにＧＵＩを表示されるような操作を行った場合に、ＣＰＵ２０７が書き換え可能な記憶装置２０８からビットマップデータを読み出し、ＧＵＩ合成処理を行い、ＤＲＡＭ２０９に書き込み、ユーザーが選択したＧＵＩイメージを表示デバイス２１０に表示する。
【産業上の利用可能性】
【００１５】
本発明のテレビジョン受信機はＧＵＩの表示イメージデータを外部からダウンロードしてくることで、購入後にユーザーが好みのデザインや、ユーザーの使い方に合わせたＧＵＩに変更することができるという効果を有し、テレビジョン受信機や録画機器などＧＵＩを表示できる器機で有用である。
【図面の簡単な説明】
【００１６】
【図１】本発明の実施の形態１におけるテレビジョン受信機の構成図
【図２】本発明の実施の形態２におけるテレビジョン受信機の構成図
【図３】本発明の表示例を示す図
【符号の説明】
【００１７】
１０１    ビットマップデータ配布サイト
１０２    ネットワーク
１０３    ネットワーク通信処理部
１０４    ＣＰＵ
１０５    書き換え可能な記憶装置
１０６    ＤＲＡＭ
１０７    表示デバイス
２０１    ビットマップデータ配布サイト
２０２    ネットワーク
２０３    端末
２０４    端末側メモリーカード処理部
２０５    メモリーカード
２０６    テレビジョン受信機側メモリーカード処理部
２０７    ＣＰＵ
２０８    書き換え可能な記憶装置
２０９    ＤＲＡＭ
２１０    表示デバイス
３０１    表示例１
３０２    表示例２
３０３    表示例３
【図１】
2006254034.tif 000003
【図２】
2006254034.tif 000004
【図３】
2006254034.tif 000005